(57)【要約】【課題】画像信号が入力されている投影環境下でも、必要に応じてきめ細かく投影輝度を制御し、電力の消費を最小限に抑える。【解決手段】画像信号を入力するＡ／Ｄ変換部11、ビデオデコーダ12と、発光輝度を可変可能な光源17と、光源からの光を用い、画像信号に応じた光像を形成して投影する投影系13〜19，28と、入力した画像信号を記憶する画像メモリ14と、入力した画像信号と、画像メモリ14で記憶している画像信号とを比較して両画像信号の一致または不一致を判定し、両画像信号の一致を判定した状態をメインメモリ30で計時させ、その計時結果が予め設定した時間値を超えたか否かを判断し、その判断により光源部17の発光輝度を低下するように可変設定するＣＰＵ29とを備える。【選択図】図１
2015143870.tif 000002
【特許請求の範囲】
【請求項１】
画像信号を入力する入力手段と、
発光輝度を可変可能な光源と、
上記光源からの光を用い、画像信号に応じた光像を形成して投影する投影手段と、
上記入力手段で入力した画像信号を記憶する記憶手段と、
上記入力手段で入力した画像信号と、上記記憶手段で既に記憶している画像信号とを比
較して両画像信号の一致または不一致を判定する比較手段と、
上記比較手段により両画像信号の一致を判定した状態を計時する計時手段と、
上記計時手段での計時結果が予め設定した時間値を超えたか否かを判断する判断手段と
、
メニュー画面の画像信号を記憶したメニュー記憶手段と、
上記入力手段で入力した画像信号に代えて、上記メニュー記憶手段で記憶したメニュー
画面の投影を指示する指示手段と、
上記指示手段での指示に応じて上記投影手段がメニュー画面の画像信号に応じた光像を
形成して投影する間、上記判断手段での判断により、時間の経過に対応して上記光源の発
光輝度を低下するように可変設定する投影制御手段と
を具備したことを特徴とする投影装置。
【請求項２】
投影動作に関する操作を受け付ける操作手段をさらに具備し、
上記計時手段は、上記操作手段での操作を受け付けた時点で計時結果をリセットするこ
とを特徴とする請求項１記載の投影装置。
【請求項３】
上記比較手段は、上記入力手段で入力した画像信号と、上記記憶手段で記憶している画
像信号の類似度を算出し、算出した類似度が予め設定したしきい値を超えているか否かに
より両画像信号の一致または不一致を判定することを特徴とする請求項１または２記載の
投影装置。
【請求項４】
上記投影手段は、上記比較手段により両画像信号の一致が判定された場合、上記入力手
段で入力した画像信号に代えて、上記記憶手段で記憶している画像信号に応じた光像を形
成して投影することを特徴とする請求項１〜３いずれか記載の投影装置。
【請求項５】
上記判断手段は、上記計時手段での計時結果が予め設定した複数の時間値をそれぞれ超
えたか否かを判断し、
上記投影制御手段は、上記判断手段での判断により、時間の経過に対応して上記光源の
発光輝度を段階的に低下するように可変設定する
ことを特徴とする請求項１〜４いずれか記載の投影装置。
【請求項６】
画像信号を入力する入力手段と、
発光輝度を可変可能な光源と、
上記光源からの光を用い、画像信号に応じた光像を形成して投影する投影手段と、
上記入力手段で入力した画像信号を記憶する記憶手段と、
上記入力手段で入力した画像信号と、上記記憶手段で既に記憶している画像信号とを比
較して両画像信号の一致または不一致を判定する比較手段と、
上記比較手段により両画像信号の一致を判定した状態を計時する計時手段と、
上記計時手段での計時結果が予め設定した時間値を超えたか否かを判断する判断手段と
、
上記判断手段で上記計時結果が予め設定した時間値を超えたと判断された場合、上記入
力手段で入力した画像信号に代えて、上記記憶手段で記憶している画像信号に応じた光像
を形成して投影する投影制御手段と
を具備したことを特徴とする投影装置。
【請求項７】
上記投影制御手段は、上記判断手段での判断により、時間の経過に対応して上記光源の
発光輝度を低下するように可変設定する
ことを特徴とする請求項６記載の投影装置。
【請求項８】
画像信号を入力する入力部、発光輝度を可変可能な光源、及び上記光源からの光を用い
、画像信号に応じた光像を形成して投影する投影部を備えた装置での投影方法であって、
上記入力部で入力した画像信号を記憶する記憶ステップと、
上記入力部で入力した画像信号と、上記記憶ステップで既に記憶している画像信号とを
比較して両画像信号の一致または不一致を判定する比較ステップと、
上記比較ステップにより両画像信号の一致を判定した状態を計時する計時ステップと、
上記計時ステップでの計時結果が予め設定した時間値を超えたか否かを判断する判断ス
テップと、
メニュー画面の画像信号を記憶したメニュー記憶ステップと、
上記入力部で入力した画像信号に代えて、上記メニュー記憶ステップで記憶したメニュ
ー画面の投影を指示する指示ステップと
上記指示ステップでの指示に応じて上記投影部がメニュー画面の画像信号に応じた光像
を形成して投影する間、上記光源の発光輝度を低下するように可変設定する投影制御ステ
ップと
を有したことを特徴とする投影方法。
【請求項９】
画像信号を入力する入力部、発光輝度を可変可能な光源、及び上記光源からの光を用い
、画像信号に応じた光像を形成して投影する投影部を備えた装置での投影方法であって、
上記入力部で入力した画像信号を記憶する記憶ステップと、
上記入力部で入力した画像信号と、上記記憶ステップで既に記憶した画像信号とを比較
して両画像信号の一致または不一致を判定する比較ステップと、
上記比較ステップにより両画像信号の一致を判定した状態を計時する計時ステップと、
上記計時手段での計時結果が予め設定した時間値を超えたか否かを判断する判断手段と
、
上記判断ステップで上記計時結果が予め設定した時間値を超えたと判断された場合、上
記入力部で入力した画像信号に代えて、上記記憶ステップで記憶している画像信号に応じ
た光像を形成して投影する投影制御ステップと
を有したことを特徴とする投影方法。
【請求項１０】
画像信号を入力する入力部、発光輝度を可変可能な光源、及び上記光源からの光を用い
、画像信号に応じた光像を形成して投影する投影部を備えた装置が内蔵したコンピュータ
が実行するプログラムであって、
当該プログラムを、
上記入力部で入力した画像信号を記憶する記憶手段、
上記入力部で入力した画像信号と、上記記憶手段で既に記憶している画像信号とを比較
して両画像信号の一致または不一致を判定する比較手段、
上記比較手段により両画像信号の一致を判定した状態を計時する計時手段、
上記計時手段での計時結果が予め設定した時間値を超えたか否かを判断する判断手段、
メニュー画面の画像信号を記憶したメニュー記憶手段、
上記入力部で入力した画像信号に代えて、上記メニュー記憶手段で記憶したメニュー画
面の投影を指示する指示手段、
上記指示手段での指示に応じて上記投影部がメニュー画面の画像信号に応じた光像を形
成して投影する間、上記光源の発光輝度を低下するように可変設定する投影制御手段、と
して機能させることを特徴とするプログラム。
【請求項１１】
画像信号を入力する入力部、発光輝度を可変可能な光源、及び上記光源からの光を用い
、画像信号に応じた光像を形成して投影する投影部を備えた装置が内蔵したコンピュータ
が実行するプログラムであって、
当該プログラムを、
上記入力部で入力した画像信号を記憶する記憶手段、
上記入力部で入力した画像信号と、上記記憶手段で既に記憶した画像信号とを比較して
両画像信号の一致または不一致を判定する比較手段、
上記比較手段により両画像信号の一致を判定した状態を計時する計時手段、
上記計時手段での計時結果が予め設定した時間値を超えたか否かを判断する判断手段、
上記判断手段で上記計時結果が予め設定した時間値を超えたと判断された場合、上記入
力部で入力した画像信号に代えて、上記記憶手段で記憶している画像信号に応じた光像を
形成して投影する投影手段
として機能させることを特徴とするプログラム。
【発明の詳細な説明】
【技術分野】
【０００１】
本発明は、特に消費電力量が制限される電池駆動のデータプロジェクタ等に好適な投影
装置、投影方法及びプログラムに関する。
【背景技術】
【０００２】
従来、利便性を損なうことなく電力消費を抑制可能なプロジェクタを提供するために、
画像信号の入力の有無を検知し、入力されている画素信号に応じた画像を投写している途
中で、画像信号の入力が途絶えたことを検知すると、ＬＥＤ光源の輝度をＰＷＭ制御によ
り低下させるようにした技術が考えられている。（例えば、特許文献１）
【先行技術文献】
【特許文献】
【０００３】
【特許文献１】特開２００７−３３４０９２号公報
【発明の概要】
【発明が解決しようとする課題】
【０００４】
上記特許文献に記載された技術は、画像信号の入力が途絶えた状態を検知することによ
り、光源の輝度を低下するように制御している。そのため、画像信号が引き続き入力され
ている状態では、その画像の内容に拘わらず、一律の輝度で投影が続行されることになる
。
【０００５】
しかしながら、投影される環境によっては、輝度を下げても視聴環境で何ら問題を生じ
ないような状況も多々考えられる。そのような場合、輝度を下げずに通常の投影動作を続
行することで、無駄に電力を消費していることになる。
【０００６】
本発明は上記のような実情に鑑みてなされたもので、その目的とするところは、画像信
号が入力されている投影環境下でも、必要に応じてきめ細かく投影輝度を制御し、電力の
消費を最小限に抑えることが可能な投影装置、投影方法及びプログラムを提供することに
ある。
【課題を解決するための手段】
【０００７】
請求項１記載の発明は、投影装置であって、画像信号を入力する入力手段と、発光輝度
を可変可能な光源と、上記光源からの光を用い、画像信号に応じた光像を形成して投影す
る投影手段と、上記入力手段で入力した画像信号を記憶する記憶手段と、上記入力手段で
入力した画像信号と、上記記憶手段で既に記憶している画像信号とを比較して両画像信号
の一致または不一致を判定する比較手段と、上記比較手段により両画像信号の一致を判定
した状態を計時する計時手段と、上記計時手段での計時結果が予め設定した時間値を超え
たか否かを判断する判断手段と、メニュー画面の画像信号を記憶したメニュー記憶手段と
、上記入力手段で入力した画像信号に代えて、上記メニュー記憶手段で記憶したメニュー
画面の投影を指示する指示手段と、上記指示手段での指示に応じて上記投影手段がメニュ
ー画面の画像信号に応じた光像を形成して投影する間、上記判断手段での判断により、時
間の経過に対応して上記光源の発光輝度を低下するように可変設定する投影制御手段とを
具備したことを特徴とする。
【０００８】
請求項２記載の発明は、上記請求項１記載の発明において、投影動作に関する操作を受
け付ける操作手段をさらに具備し、上記計時手段は、上記操作手段での操作を受け付けた
時点で計時結果をリセットすることを特徴とする。
【０００９】
請求項３記載の発明は、上記請求項１または２記載の発明において、上記比較手段は、
上記入力手段で入力した画像信号と、上記記憶手段で記憶している画像信号の類似度を算
出し、算出した類似度が予め設定したしきい値を超えているか否かにより両画像信号の一
致または不一致を判定することを特徴とする。
【００１０】
請求項４記載の発明は、上記請求項１〜３いずれか記載の発明において、上記投影手段
は、上記比較手段により両画像信号の一致が判定された場合、上記入力手段で入力した画
像信号に代えて、上記記憶手段で記憶している画像信号に応じた光像を形成して投影する
ことを特徴とする。
【００１１】
請求項５記載の発明は、上記請求項１〜４いずれか記載の発明において、上記判断手段
は、上記計時手段での計時結果が予め設定した複数の時間値をそれぞれ超えたか否かを判
断し、上記投影制御手段は、上記判断手段での判断により、時間の経過に対応して上記光
源の発光輝度を段階的に低下するように可変設定することを特徴とする。
請求項６記載の発明は、投影装置であって、画像信号を入力する入力手段と、発光輝度
を可変可能な光源と、上記光源からの光を用い、画像信号に応じた光像を形成して投影す
る投影手段と、上記入力手段で入力した画像信号を記憶する記憶手段と、上記入力手段で
入力した画像信号と、上記記憶手段で既に記憶している画像信号とを比較して両画像信号
の一致または不一致を判定する比較手段と、上記比較手段により両画像信号の一致を判定
した状態を計時する計時手段と、上記計時手段での計時結果が予め設定した時間値を超え
たか否かを判断する判断手段と、上記判断手段で上記計時結果が予め設定した時間値を超
えたと判断された場合、上記入力手段で入力した画像信号に代えて、上記記憶手段で記憶
している画像信号に応じた光像を形成して投影する投影手段とを具備したことを特徴とす
る。
請求項７記載の発明は、上記請求項６記載の発明において、上記投影制御手段は、上記
判断手段での判断により、時間の経過に対応して上記光源の発光輝度を低下するように可
変設定することを特徴とする。
【００１２】
請求項８記載の発明は、投影方法であって、画像信号を入力する入力部、発光輝度を可
変可能な光源、及び上記光源からの光を用い、画像信号に応じた光像を形成して投影する
投影部を備えた装置での投影方法であって、上記入力部で入力した画像信号を記憶する記
憶ステップと、上記入力部で入力した画像信号と、上記記憶ステップで既に記憶している
画像信号とを比較して両画像信号の一致または不一致を判定する比較ステップと、上記比
較ステップにより両画像信号の一致を判定した状態を計時する計時ステップと、上記計時
ステップでの計時結果が予め設定した時間値を超えたか否かを判断する判断ステップと、
メニュー画面の画像信号を記憶したメニュー記憶ステップと、上記入力部で入力した画像
信号に代えて、上記メニュー記憶ステップで記憶したメニュー画面の投影を指示する指示
ステップと上記指示ステップでの指示に応じて上記投影部がメニュー画面の画像信号に応
じた光像を形成して投影する間、上記光源の発光輝度を低下するように可変設定する投影
制御ステップとを有したことを特徴とする。
請求項９記載の発明は、投影方法であって、画像信号を入力する入力部、発光輝度を可
変可能な光源、及び上記光源からの光を用い、画像信号に応じた光像を形成して投影する
投影部を備えた装置での投影方法であって、上記入力部で入力した画像信号を記憶する記
憶ステップと、上記入力部で入力した画像信号と、上記記憶ステップで既に記憶した画像
信号とを比較して両画像信号の一致または不一致を判定する比較ステップと、上記比較ス
テップにより両画像信号の一致を判定した状態を計時する計時ステップと、上記計時手段
での計時結果が予め設定した時間値を超えたか否かを判断する判断手段と、上記判断ステ
ップで上記計時結果が予め設定した時間値を超えたと判断された場合、上記入力部で入力
した画像信号に代えて、上記記憶ステップで記憶している画像信号に応じた光像を形成し
て投影する投影制御ステップとを有したことを特徴とする。
【００１３】
請求項１０記載の発明は、画像信号を入力する入力部、発光輝度を可変可能な光源、及
び上記光源からの光を用い、画像信号に応じた光像を形成して投影する投影部を備えた装
置が内蔵したコンピュータが実行するプログラムであって、当該プログラムを、上記入力
部で入力した画像信号を記憶する記憶手段、上記入力部で入力した画像信号と、上記記憶
手段で既に記憶している画像信号とを比較して両画像信号の一致または不一致を判定する
比較手段、上記比較手段により両画像信号の一致を判定した状態を計時する計時手段、上
記計時手段での計時結果が予め設定した時間値を超えたか否かを判断する判断手段、メニ
ュー画面の画像信号を記憶したメニュー記憶手段、上記入力部で入力した画像信号に代え
て、上記メニュー記憶手段で記憶したメニュー画面の投影を指示する指示手段、上記指示
手段での指示に応じて上記投影手段がメニュー画面の画像信号に応じた光像を形成して投
影する間、上記光源の発光輝度を低下するように可変設定する投影制御手段として機能さ
せることを特徴とする。
請求項１１記載の発明は、画像信号を入力する入力部、発光輝度を可変可能な光源、及
び上記光源からの光を用い、画像信号に応じた光像を形成して投影する投影部を備えた装
置が内蔵したコンピュータが実行するプログラムであって、当該プログラムを、上記入力
部で入力した画像信号を記憶する記憶手段、上記入力部で入力した画像信号と、上記記憶
手段で既に記憶した画像信号とを比較して両画像信号の一致または不一致を判定する比較
手段、上記比較手段により両画像信号の一致を判定した状態を計時する計時手段、上記計
時手段での計時結果が予め設定した時間値を超えたか否かを判断する判断手段、上記判断
手段で上記計時結果が予め設定した時間値を超えたと判断された場合、上記入力手段で入
力した画像信号に代えて、上記記憶手段で記憶している画像信号に応じた光像を形成して
投影する投影手段として機能させることを特徴とする。
【発明の効果】
【００１４】
本発明によれば、画像信号が入力されている投影環境下でも、必要に応じてきめ細かく
投影輝度を制御し、電力の消費をより少なく抑えることが可能となる。
【図面の簡単な説明】
【００１５】
【図１】本発明の一実施の形態に係るデータプロジェクタ装置の機能回路の構成を示すブロック図。
【図２】同実施形態に係る電源投入後の投影動作処理内容を示すフローチャート。
【図３】同実施形態に係る光源の発光輝度の制御特性を示す図。
【発明を実施するための形態】
【００１６】
以下本発明を電池駆動によるＤＬＰ（Ｄｉｇｉｔａｌ  Ｌｉｇｈｔ  Ｐｒｏｃｅｓｓｉ
ｎｇ）（登録商標）方式のデータプロジェクタ装置に適用した場合の一実施形態について
図面を参照して説明する。
【００１７】
図１は、本実施形態に係るデータプロジェクタ装置１０の機能回路の概略構成を示すブ
ロック図である。  
このデータプロジェクタ装置１０は入力部として、Ａ／Ｄ変換部１１、及びビデオデコ
ーダ１２を備える。
【００１８】
Ａ／Ｄ変換部１１は、Ｄ−ｓｕｂ１５タイプのＲＧＢ入力端子を介してパーソナルコン
ピュータ等から入力されるアナログのＲＧＢ信号をデジタル化する。
【００１９】
ビデオデコーダ１２は、例えばピンジャック（ＲＣＡ）タイプのビデオ入力端子を介し
て入力されるアナログのコンポジットビデオ信号をＹ／Ｃ分離した後にデジタル化する。
【００２０】
上記入力部１１，１２のいずれかで入力され、デジタル化された画像データは、システ
ムバスＳＢを介して投影画像処理部１３に送られる。
【００２１】
投影画像処理部１３は、入力される画像データを投影に適した所定のフォーマットの画
像データに統一し、表示用の画像メモリ１４に適宜書込んだ後に、書込んだ画像データを
画像メモリ１４から読出して投影画像駆動部１５へ送る。
【００２２】
この際、ＯＳＤ（Ｏｎ  Ｓｃｒｅｅｎ  Ｄｉｓｐｌａｙ）用の各種動作状態を示すシン
ボル等のデータも必要に応じて投影画像処理部１３により画像メモリ１４で画像信号に重
畳加工され、加工後の画像データが読出されて投影画像駆動部１５へ送られる。
【００２３】
なお、この投影画像駆動部１５は、少なくとも２フレーム分の画像データを記憶する容
量を有し、上記入力部１１，１２から随時入力される画像データと、後述するＣＰＵ２９
の指示により保持する画像データのいずれかを投影画像駆動部１５へ読出す。
【００２４】
投影画像駆動部１５は、送られてきた画像信号に応じて、所定のフォーマットに従った
フレームレート、例えば６０［フレーム／秒］と色成分の分割数、及び表示階調数を乗算
した、より高速な時分割駆動により、空間的光変調素子（ＳＬＭ）であるマイクロミラー
素子１６を表示駆動する。
【００２５】
このマイクロミラー素子１６は、アレイ状に配列された複数、例えばＷＸＧＡ（Ｗｉｄ
ｅ  ｅＸｔｅｎｄｅｄ  Ｇｒａｐｈｉｃ  Ａｒｒａｙ）（横１２８０画素×縦８００画素
）分の微小ミラーの各傾斜角度を個々に高速でオン／オフ動作して表示動作することで、
その反射光により光像を形成する。
【００２６】
一方で、光源部１７から時分割でＲ，Ｇ，Ｂの原色光が循環的に出射される。この光源
部１７からの原色光が、ミラー１８で全反射して上記マイクロミラー素子１６に照射され
る。
【００２７】
そして、マイクロミラー素子１６での反射光で光像が形成され、形成された光像が投影
レンズ部１９を介して、投影対象となる図示しないスクリーンに投影表示される。
【００２８】
光源部１７は、赤色（Ｒ）光を発する発光ダイオード（以下「Ｒ−ＬＥＤ」と称する）
２１、緑色（Ｇ）光を発する発光ダイオード（以下「Ｇ−ＬＥＤ」と称する）２２、及び
青色（Ｂ）光を発する発光ダイオード（以下「Ｂ−ＬＥＤ」と称する）２３を有する。
【００２９】
Ｒ−ＬＥＤ２１の発する赤色光は、ダイクロイックミラー２４を透過した後、インテグ
レータ２５で輝度分布が略均一な光束とされた後に上記ミラー１８へ送られる。
【００３０】
Ｇ−ＬＥＤ２２の発する緑色光は、ダイクロイックミラー２６で反射された後、上記ダ
イクロイックミラー２４でも反射され、上記インテグレータ２５を介して上記ミラー１８
へ送られる。
【００３１】
Ｂ−ＬＥＤ２３の発する青色光は、ミラー２７で反射された後に上記ダイクロイックミ
ラー２６を透過し、その後に上記ダイクロイックミラー２４で反射され、上記インテグレ
ータ２５を介して上記ミラー１８へ送られる。  
上記ダイクロイックミラー２４は、赤色光を透過する一方で、緑色光及び青色光を反射
する。上記ダイクロイックミラー２６は、緑色光を反射する一方で、青色光を透過する。
【００３２】
光源部１７の各ＬＥＤ２１〜２３の発光タイミングや駆動信号の波形等を光源駆動部２
８が統括して制御する。光源駆動部２８は、投影画像駆動部１５から与えられる画像デー
タのタイミングと後述するＣＰＵ２９の制御に応じて上記ＬＥＤ２１〜２３の発光動作を
制御する。
【００３３】
上記各回路の動作すべてをＣＰＵ２９が制御する。このＣＰＵ２９は、メインメモリ３
０及びプログラムメモリ３１と直接接続される。メインメモリ３０は、ＤＲＡＭで構成さ
れ、ＣＰＵ２９のワークメモリとして機能する。プログラムメモリ３１は、電気的書換可
能な不揮発性メモリで構成され、ＣＰＵ２９が実行する動作プログラムや後述するメニュ
ー画面の画像データ等、各種定型データ等を記憶する。
【００３４】
ＣＰＵ２９は、上記プログラムメモリ３１に記憶されている動作プログラムデータ等を
読出してメインメモリ３０に展開して記憶させた上で、当該プログラムを実行することに
より、このデータプロジェクタ装置１０を統括して制御する。
【００３５】
上記ＣＰＵ２９は、操作／表示部３２からのキー操作信号に応じて各種投影動作を実行
する。  
この操作／表示部３２は、データプロジェクタ装置１０の本体に設けられるキー操作部
及びインジケータ部と、このデータプロジェクタ装置１０専用の図示しないリモートコン
トローラからの赤外光を受光するレーザ受光部とを含む。操作／表示部３２は、ユーザが
本体のキー操作部またはリモートコントローラで操作したキーに基づくキー操作信号をＣ
ＰＵ２９へ出力する。
【００３６】
本体のキー操作部またはリモートコントローラには、具体的には、電源キー、入力切換
キー、フォーカス・アップ／ダウン・キー、ズーム・アップ／ダウン・キー、メニューキ
ー、カーソル（「↑」「↓」「←」「→」）キー、セットキー、キャンセルキー等が備え
られる。
【００３７】
上記ＣＰＵ２９はさらに、上記システムバスＳＢを介して音声処理部３３、及び電源制
御部３４と接続される。  
音声処理部３３は、ＰＣＭ音源等の音源回路を備え、投影動作時に与えられる音声デー
タをアナログ化し、スピーカ部３５を駆動して拡声放音させ、あるいは必要によりビープ
音等を発生させる。
【００３８】
電源制御部３４は、本装置１０の電源である充電池３６から供給される電力を上記各回
路部に必要な電圧値に変圧して供給する一方で、ＣＰＵ２９からの要求に応じて充電池３
６の両端子間電圧に基づく残容量等を報告する。
【００３９】
次に上記実施形態の動作について説明する。  
なお、上述した如く、マイクロミラー素子１６で表示するための画像を投影画像処理部
１３が画像メモリ１４を用いて作成し、作成した画像を投影画像駆動部１５がマイクロミ
ラー素子１６で表示し、マイクロミラー素子１６での表示に合わせてＬＥＤ２１〜２３を
光源駆動部２８が発光駆動する。
【００４０】
これら投影画像処理部１３、画像メモリ１４、投影画像駆動部１５、及び光源駆動部２
８は、いずれもＣＰＵ２９の制御の下に動作する。ＣＰＵ２９は、以下に示す処理も含め
、プログラムメモリ３１に記憶されている動作プログラムや固定データ等を読出してメイ
ンメモリ３０に展開した上で制御処理を実行する。
【００４１】
図２は、電源投入直後から実行する、投影動作時の主として光源輝度の制御に関する処
理内容を示す。
【００４２】
その処理当初にＣＰＵ２９は、光源部１７の各ＬＥＤ２１〜２３をそれぞれ定格の１０
０％の輝度となるような電流値で光源駆動部２８により駆動させる（ステップＳ０１）。
【００４３】
併せてＣＰＵ２９は、メインメモリ３０内に設定するタイマレジスタでのカウント動作
を開始させる（ステップＳ１０２）。このタイマレジスタは、光源部１７を定格の輝度で
点灯駆動する動作環境下で、投影する画像に変化が見られない時間、あるいは最後に操作
／表示部３２でのユーザによるキー操作がなされてから経過した時間を計測する。
【００４４】
その後、あらためて上記Ａ／Ｄ変換部１１またはビデオデコーダ１２を介して画像信号
を入力してデジタル化し、得た画像データを投影画像処理部１３により画像メモリ１４に
記憶させる（ステップＳ１０３）。
【００４５】
このときＣＰＵ２９は、入力される画像データに代えて、プログラムメモリ３１から読
出した画像データに基づくメニュー画面を投影中であるか、あるいは操作／表示部３２に
よりユーザによる操作があったどうかを判断する（ステップＳ１０４）。
【００４６】
ここでメニュー画面の投影中ではなく、また操作／表示部３２による操作もなされなか
ったと判断すると、次に、入力した画像データと、その時点で投影画像駆動部１５に既に
記憶している比較用の画像データとの類似度を算出する（ステップＳ１０８）。
【００４７】
類似度の算出に際しては、例えば画像データを構成する同一画素位置のデータ間で相関
を取り、フレーム全体で一致した画素数のパーセンテージを算出する。
【００４８】
こうして算出した類似度が、予め設定されたしきい値未満であるか否かにより、入力さ
れている画像信号に変化があるか否かを判断する（ステップＳ１０９）。  
ここで、算出した類似度により画像の変化を判断するのは、たとえＡ／Ｄ変換部１１ま
たはビデオデコーダ１２に入力される画像信号が静止画であり、内容に変化がない場合で
あっても、Ａ／Ｄ変換部１１またはビデオデコーダ１２でのＡ／Ｄ変換時に誤差を生じ、
同一データが前のフレームと次のフレームとで異なるデータとしてデジタル化される可能
性を考慮したものである。このようにＡ／Ｄ変換の誤差に対応した類似度判断のしきい値
を設定しておくことで、Ａ／Ｄ変換の誤差を許容して画像の変化を正確に判断できる。
【００４９】
なお、電源投入直後でまだ投影画像駆動部１５に比較用の画像データが記憶されていな
い状態では、２つの画像データの類似度は「０（ゼロ）％」となり、画像が変化したもの
と判断する。
【００５０】
上記ステップＳ１０９で画像に変化があると判断した場合、入力した画像データを投影
画像駆動部１５内であらたに比較用の画像データとしても記憶し直した上で（ステップＳ
１１０）、通常の発光輝度モード、すなわち光源部１７のＬＥＤ２１〜２３をそれぞれ定
格の電流値で駆動して、入力した画像データに基づく投影を実行させる（ステップＳ１１
１）。
【００５１】
加えて、メインメモリ３０に設定したタイマレジスタの計時値をリセットした後（ステ
ップＳ１１２）、次の画像信号入力に備えて上記ステップＳ１０３からの処理に戻る。
【００５２】
また、上記ステップＳ１０９で類似度が予め設定されたしきい値以上であり、入力され
ている画像信号に変化がないと判断した場合は、次にその時点での音声処理部３３のタイ
マレジスタの値が、予め設定した時間値、例えば「１０分」に達しているか否かにより、
変化のない画像が一定時間以上継続して入力されているか否かを判断する（ステップＳ１
１３）。
【００５３】
ここでタイマレジスタの値が予め設定した時間値に達しておらず、変化のない画像なが
らその入力は一定時間までには達していないと判断した場合には、通常の発光輝度モード
、すなわち光源部１７のＬＥＤ２１〜２３をそれぞれ定格の電流値で駆動して、比較用に
保持している画像データに基づく投影を実行させる（ステップＳ１１６）。
【００５４】
加えて、メインメモリ３０に設定したタイマレジスタの計時値を更新設定した後（ステ
ップＳ１１７）、次の画像信号入力に備えて上記ステップＳ１０３からの処理に戻る。
【００５５】
上記ステップＳ１１６で、入力した画像データではなく、記憶している比較用の画像デ
ータを用いた投影を行なうのは、入力画像に変化がないと判断した場合に、上述したＡ／
Ｄ変換の誤差により投影される画像に微細なちらつきが生じるのを避けるためである。
【００５６】
また、上記ステップＳ１１３でタイマレジスタの値が予め設定した時間値に達しており
、変化のない画像の入力が一定時間に達していると判断した場合には、通常の発光輝度モ
ードに代えて、省電力モードとして、例えば光源部１７のＬＥＤ２１〜２３の発光輝度が
定格の５０％となるように電流値を調整して駆動し、比較用に保持している画像データに
基づく投影を実行させる（ステップＳ１１４）。
【００５７】
加えて、メインメモリ３０に設定したタイマレジスタの計時値を更新設定した後（ステ
ップＳ１１５）、次の画像信号入力に備えて上記ステップＳ１０３からの処理に戻る。
【００５８】
上記ステップＳ１１４で、入力した画像データではなく、記憶している比較用の画像デ
ータを用いた投影を行なうのは、上記ステップＳ１１６の場合と同じく、入力画像に変化
がないと判断した場合に、上述したＡ／Ｄ変換の誤差により投影される画像に微細なちら
つきが生じるのを避けるためである。
【００５９】
また、上記ステップＳ１０４でメニュー画面の投影中であるか、または操作／表示部３
２による操作がなされたと判断した場合には、次にメニュー画面を解除するための操作を
除いた、メニュー画面上でのなんらかの操作に関するものであるか否かを判断する（ステ
ップＳ１０５）。
【００６０】
ここでメニュー画面上でのなんらかの操作に関するものであると判断した場合には、通
常の発光輝度モードに代えて、省電力モードとして、例えば光源部１７のＬＥＤ２１〜２
３の発光輝度が定格の５０％となるように電流値を調整して駆動し、メニュー画面におけ
る上記操作に対応した動作処理と投影とを実行させ（ステップＳ１０６）、その後に次の
画像信号入力に備えて上記ステップＳ１０３からの処理に戻る。
【００６１】
さらに上記ステップＳ１０５でメニュー画面を解除するための操作か、またはメニュー
画面上での操作以外の操作がなされたと判断した場合には、その操作された内容に基づく
処理を実行する（ステップＳ１０７）。
【００６２】
その後、上記ステップＳ１１０に進み、入力した画像データを投影画像駆動部１５内で
あらたに比較用の画像データとしても記憶し直した上で、通常の発光輝度モード、すなわ
ち光源部１７のＬＥＤ２１〜２３をそれぞれ定格の電流値で駆動して、入力した画像デー
タに基づく投影を実行させる（ステップＳ１１１）。
【００６３】
加えて、メインメモリ３０に設定したタイマレジスタの計時値をリセットした後（ステ
ップＳ１１２）、次の画像信号入力に備えて上記ステップＳ１０３からの処理に戻る。
【００６４】
以上詳述した如く本実施形態によれば、画像信号が入力されている投影環境下でも、一
定時間以上画像の内容が変化しない場合など、特に輝度を落としても不具合を生じないと
思われる状況を判断し、必要に応じてきめ細かく投影輝度を制御することで、電力の消費
をより少なく抑えることが可能となり、特に電力量が制限される電池電源の装置に好適と
なる。
【００６５】
なお上記実施形態では、通常の発光モードと、輝度を５０％に下げる省電力モードとの
２段階のモードのうちのいずれかとなるように光源部１７のＬＥＤ２１〜２３の発光輝度
を制御する場合について説明したが、このような２段階の制御ではなく、さらに詳細な設
定を行なうものとしても良い。
【００６６】
図３は、光源部１７のＬＥＤ２１〜２３の発光輝度を４段階に分けて制御する場合につ
いて説明する図である。同図では、入力される画像に変化がなく、且つ操作／表示部３２
での操作がなされない状態を計時するタイマレジスタの値と、制御する発光輝度の関係を
示す。
【００６７】
ここでは、タイマレジスタの値により「０（ゼロ）分以上４分未満」「４分以上８分未
満」「８分以上１２分未満」及び「１２分以上」の４つの時間値に応じて、発光輝度を「
１００％（定格）」「７０％」「５０％」「３０％」の４段階に可変するものとした。
【００６８】
このように、制御の基準となる時間値を複数設定することで、光源部１７のＬＥＤ２１
〜２３の発光輝度をよりきめ細かく制御するものとしたので、投影内容の明るさを徐々に
低下させることにより、投影画像を見ているものに対して違和感なく輝度を低下させて、
無駄な電力消費を避けることができる。
【００６９】
また上記実施形態では、入力される画像に変化があった場合のみならず、操作／表示部
３２でこの装置１０のユーザによりなんらかの操作がなされた場合に上記タイムレジスタ
の内容をリセットするものとした。
【００７０】
これにより、投影する画像自体には変化が見られないものの、なんらかの操作がなされ
て、ユーザ側で投影画像の内容に対する注視がなされていると考えられる状態では、安易
に発光輝度を低下させることがないように制御すること、ユーザ側の使い勝手が低下する
のを回避できる。
【００７１】
さらに上記実施形態では、画像の変化の有無を判断するのに際して、入力された画像と
既に記憶している画素との類似度を算出し、その算出結果に基づいて画像の変化の有無を
判断するものとした。
【００７２】
これにより、入力される画像信号に対してＡ／Ｄ変換を施す必要がある場合でも、Ａ／
Ｄ変換の誤差等の影響を排除し、的確に画像の変化の有無を判断することができる。
【００７３】
また上記実施形態では、画像に変化がないと判断している間は、入力した画像ではなく
、比較用に記憶している画像を用いて投影を行なうものとしている。したがって、上記Ａ
／Ｄ変換の誤差等に起因する微小な「ちらつき」などが生じることなく、安定した見易い
画像を投影できる。
【００７４】
さらに上記実施形態では、入力している画像信号ではなく、メニュー画面を投影してい
る状態では一律に光源部１７のＬＥＤ２１〜２３の発光輝度を下げるものとした。これに
より、特に微細な画像表現等がないと思われるメニュー画面では確実に消費電力を低減で
きる。
【００７５】
なお上記実施形態では、光源として半導体光源素子であるＬＥＤを用い、電池を電源と
したデータプロジェクタ装置に適用した場合について説明したが、本発明は光源となる素
子や電源の種類を限定するものではない。
【００７６】
その他、本発明は上述した実施形態に限定されるものではなく、実施段階ではその要旨
を逸脱しない範囲で種々に変形することが可能である。また、上述した実施形態で実行さ
れる機能は可能な限り適宜組み合わせて実施しても良い。上述した実施形態には種々の段
階が含まれており、開示される複数の構成要件による適宜の組み合せにより種々の発明が
抽出され得る。例えば、実施形態に示される全構成要件からいくつかの構成要件が削除さ
れても、効果が得られるのであれば、この構成要件が削除された構成が発明として抽出さ
れ得る。
【符号の説明】
【００７７】
１０…データプロジェクタ装置、１１…Ａ／Ｄ変換部、１２…ビデオデコーダ、１３…
投影画像処理部、１４…画像メモリ、１５…投影画像駆動部、１６…マイクロミラー素子
、１７…光源部、１８…ミラー、１９…投影レンズ部、２１…赤色（Ｒ）ＬＥＤ、２２…
緑色（Ｇ）ＬＥＤ、２３…青色（Ｂ）ＬＥＤ、２４…ダイクロイックミラー、２５…イン
テグレータ、２６…ダイクロイックミラー、２７…ミラー、２８…光源駆動部、２９…Ｃ
ＰＵ、３０…メインメモリ、３１…プログラムメモリ、３２…操作／表示部、３３…音声
処理部、３４…電源制御部、３５…スピーカ部、３６…充電池、ＳＢ…システムバス。
【図１】
2015143870.tif 000003
【図２】
2015143870.tif 000004
【図３】
2015143870.tif 000005
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
画像を表示する表示手段と、
上記表示した画像信号と、複数の所定の画像信号と類似または一致しているかを判定する判定手段と、
前記判定手段が類似または一致している所定の画像信号に基づいて、類似又は一致していると判定した時点で省電力モードに切り換えるか、予め設定された時間類似又は一致していると判定された後に省電力モードに切り換える電力切替手段と
を備える画像表示装置。
【請求項２】
前記省電力は、表示輝度を低下させる事を特徴とする請求項１に記載の画像表示装置。
【請求項３】
前記表示した画像が前記所定の画像信号のうちの特定の画像信号と類似又は一致している時間を計時する計時手段と、
を更に備え、
前記電力切替手段は、上記計時手段での計時結果が予め設定した時間値を超えた後に省電力に切り換えることを特徴とする請求項１又は２に記載の画像表示装置。
【請求項４】
操作を受け付ける操作手段をさらに具備し、
上記計時手段は、上記操作手段での操作を受け付けた時点で計時結果をリセットすることを特徴とする請求項１〜３のいずれか一項に記載の画像表示装置。
【請求項５】
前記複数の所定の画像信号は、メニュー画像を含み、
前記電力切替手段は、前記判定手段が前記表示した画像信号が前記メニュー画面と類似又は一致していると判定した場合、判定した時点で省電力に切り換えることを特徴とする請求項１〜４のいずれか一項に記載の画像表示装置。
【請求項６】
コンピュータを、
画像を表示する表示手段、
上記表示した画像信号と、複数の所定の画像信号と類似または一致しているかを判定する判定手段、
前記判定手段が類似または一致している所定の画像信号に基づいて、類似又は一致していると判定した時点で省電力に切り換えるか、予め設定された時間類似又は一致していると判定された後に省電力に切り換える電力切替手段、
として機能させることを特徴とするプログラム。
【請求項７】
画像を表示する表示ステップと、
上記表示した画像信号と、複数の所定の画像信号と類似または一致しているかを判定する判定ステップと、
前記判定ステップが類似または一致している所定の画像信号に基づいて、類似又は一致していると判定した時点で省電力に切り換えるか、予め設定された時間類似又は一致していると判定された後に省電力に切り換える電力切替ステップと、
を備える画像表示方法。
【手続補正３】
【補正対象書類名】明細書
【補正対象項目名】０００１
【補正方法】変更
【補正の内容】
【０００１】
本発明は、画像表示装置、画像表示方法及びプログラムに関する。
【手続補正４】
【補正対象書類名】明細書
【補正対象項目名】０００６
【補正方法】変更
【補正の内容】
【０００６】
本発明は上記のような実情に鑑みてなされたもので、その目的とするところは、電力の消費を最小限に抑えることにある。
【手続補正５】
【補正対象書類名】明細書
【補正対象項目名】０００７
【補正方法】変更
【補正の内容】
【０００７】
請求項１に記載の発明は、画像表示装置であって、画像を表示する表示手段と、上記表示した画像信号と、複数の所定の画像信号と類似または一致しているかを判定する判定手段と、前記判定手段が類似または一致している所定の画像信号に基づいて、類似又は一致していると判定した時点で省電力モードに切り換えるか、予め設定された時間類似又は一致していると判定された後に省電力モードに切り換える電力切替手段とを備えることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、電力の消費をより少なく抑えることが可能となる。